(57)【要約】【課題】マンホールの径より小さい外径の受枠であっても取付けることのできる構造のマンホール鉄蓋およびその取付方法を提供する。【解決手段】マンホールＨの上端開口部に設けられ、受枠２と蓋体３を備えるものにおいて、前記受枠２の径方向に、受枠２より外方に突出させるようにアダプター１０，３０，３５を取付可能にして、前記アダプター１０，３０，３５と前記受枠２との組付物の外径Ｄを大きく変更可能にした。アダプターとしては種々の形状が考えられ、複数枚のものでも、リング状の一枚ものでもよい。【選択図】図１
2008075277.tif 000002
【特許請求の範囲】
【請求項１】
マンホールの上端開口部に設けられ、受枠と蓋体を備えるマンホール鉄蓋において、
前記受枠の径方向に、受枠より外方に突出させるようにアダプターを取付可能にして、前記アダプターと前記受枠との組付物の外径を大きく変更可能にしたことを特徴とするマンホール鉄蓋。
【請求項２】
前記アダプターは、前記受枠の周方向に取付けられるアダプターであることを特徴とする請求項１に記載のマンホール鉄蓋。
【請求項３】
前記アダプターは、前記受枠の径よりも大きいリング状のアダプターであることを特徴とする請求項１に記載のマンホール鉄蓋。
【請求項４】
マンホールの上端開口部に設けられ、前記マンホールより小径の受枠と蓋体を備えるマンホール鉄蓋を、前記マンホールに取付ける方法であって、
前記受枠の径方向に、受枠より外方に突出させるようにアダプターを取付け、
前記アダプターと前記受枠との組付物の外径を、前記マンホールの径より大きく設定した後、前記マンホールに取付けることを特徴とするマンホール鉄蓋の取付方法。
【発明の詳細な説明】
【技術分野】
【０００１】
本発明は、受枠および蓋体を備え、マンホールの上端開口部に設けられたマンホール鉄蓋、およびそのマンホール鉄蓋の取付方法に関するものである。
【背景技術】
【０００２】
一般道路には、例えば、地中Ｒに埋設した下水、通信、電力等、多くのマンホールが設けられている。そして、このマンホールの上端開口部は、通常、図７に示すように、受枠２とそれに着脱自在に取付けられた蓋体３とで構成されるマンホール鉄蓋４０によって閉じられている。
このマンホール鉄蓋４０は、受枠２の外径（例えば、８００ｍｍ）がマンホールＨの径（例えば、６００ｍｍ）より大きく形成されている。
【０００３】
しかし、近年では、製造コストを抑えるためや、運搬などの取扱いを容易にするために、図８に示すように、マンホール鉄蓋５０の受枠２の外径を小さく（例えば、５５０ｍｍ）して、小型化を図っている。
なお、図７、図８において、受枠２の側面には複数の縦リブ４が設けられている。
【発明の開示】
【発明が解決しようとする課題】
【０００４】
しかしながら、図８（ｂ）に示すように、外径が５５０ｍｍの小型タイプのマンホール鉄蓋５０を径が６００ｍｍのマンホールＨに使用することはできない。
一方、一種類のマンホール鉄蓋を様々の径のマンホールＨに使用することができればコストダウンが図れ、経済的である。
【０００５】
そこで本発明の目的とするところは、マンホールの径より小さい外径の受枠であっても取付けることのできる構造のマンホール鉄蓋およびその取付方法を提供することにある。
【課題を解決するための手段】
【０００６】
上記の目的を達成するために、本発明の請求項１に記載のマンホール鉄蓋（１）は、マンホール（Ｈ）の上端開口部に設けられ、受枠（２）と蓋体（３）を備えるものにおいて、前記受枠（２）の径方向に、受枠（２）より外方に突出させるようにアダプター（１０，３０，３５）を取付可能にして、前記アダプター（１０，３０，３５）と前記受枠（２）との組付物の外径（Ｄ）を大きく変更可能にしたことを特徴とする。
【０００７】
また、請求項２に記載のマンホール鉄蓋（１）は、前記アダプター（１０，３０）を、前記受枠（２）の周方向に取付けられるアダプターとしたことを特徴とする。
【０００８】
さらに、請求項３に記載のマンホール鉄蓋（１）は、前記アダプター（３５）を、前記受枠（２）の径よりも大きいリング状のアダプターとしたことを特徴とする。
【０００９】
請求項４に記載のマンホール鉄蓋の取付方法は、マンホール（Ｈ）の上端開口部に設けられ、前記マンホール（Ｈ）より小径の受枠（２）と蓋体（３）を備えるマンホール鉄蓋（１）を、前記マンホール（Ｈ）に取付ける方法であって、
前記受枠（２）の径方向に、受枠（２）より外方に突出させるようにアダプター（１０，３０，３５）を取付け、前記アダプター（１０，３０，３５）と前記受枠（２）との組付物の外径（Ｄ）を、前記マンホール（Ｈ）の径（ｄ）より大きく設定した後、前記マンホール（Ｈ）に取付けることを特徴とする。
【００１０】
なお、カッコ内の記号は、図面および後述する発明を実施するための最良の形態に記載された対応要素または対応事項を示す。
【発明の効果】
【００１１】
本発明のマンホール鉄蓋によれば、アダプターを受枠より外方に突出させて取付け、アダプターと受枠との組付物の外径を、アダプターを取付ける前と比較して大きく変更することができるので、例えば、マンホールの径よりも小さいマンホール鉄蓋であっても設置することができるなど、一種類のマンホール鉄蓋を様々の径を有するマンホールに設置することができる。
これによって、製造コストを低減することができる。
【００１２】
また、本発明のマンホール鉄蓋の取付方法によれば、マンホールより小径の受枠と蓋体を備えるマンホール鉄蓋に対してアダプターを受枠より外方に突出させるように取付け、アダプターと受枠との組付物の外径を、マンホールの径より大きく設定した後、マンホールに取付けるので、マンホールの径より小さい外径の受枠であっても簡易に取付けることができ、汎用性に優れる。
【発明を実施するための最良の形態】
【００１３】
図１乃至図４を参照して、本発明の実施形態に係るマンホール鉄蓋１について説明する。図１は、マンホール鉄蓋を示すもので、（ａ）は平面図、（ｂ）はそのＡ−Ａ線断面図である。図２は、アダプターと受枠との組付物の外径を、マンホールの径と比較した平面図である。図３は、当該アダプターを示すもので、（ａ）は正面図、（ｂ）は側面図、（ｃ）は平面図である。また、図４は、アダプターの取付状態を示す分解斜視図である。従来例で示したものと同一部分には同一符号を付した。
【００１４】
本発明の実施形態に係るマンホール鉄蓋１は、マンホールＨの上端開口部に設けられるものであり、地中Ｒに埋設される。このマンホール鉄蓋１は鋳鉄製で、マンホールＨの径ｄ（６００ｍｍ）より小径の外径（５５０ｍｍ）を有する受枠２と、当該受枠２の上端開口部に着脱自在に組付く蓋体３を備える。また、受枠２の外周面には、複数（本実施形態では１２個）の縦リブ４が等間隔で設けられ、各縦リブ４は孔部４ａを有する。孔部４ａは、受枠２を地中Ｒから外に取り出したり、設置するとき等、移動させるために専用の治具（図示しない）を取付けるときに使用される孔である。
【００１５】
そして、複数の縦リブ４のうち少なくとも二以上、本実施形態では受枠２の周方向に等間隔を空けて取付けられた三つの縦リブ４のそれぞれに、取付孔１２ａを有するアダプター１０を、その外側端部を受枠２の径方向に受枠２より外方に突出させた状態で取付け、相対向する位置に設けられた縦リブ４の孔部４ａとアダプター１０の取付孔１２ａとにボルト２０を挿通して、座金２２を挟んでナット２１で固定している。これに限定されるものではないが、ここではボルト２０，ナット２１，座金２２で締結部材を構成している。
これにより、図２に示すように、アダプター１０と受枠２との組付物の外径Ｄ（８００ｍｍ）を、マンホールＨの径ｄ（６００ｍｍ）より大きく設定している。
【００１６】
また、本実施形態におけるアダプター１０は、図３及び図４に示すように、基板１１と二枚の組付板１２と上述した締結部材２０〜２２で構成している。基板１１は、外側端部の底面が、マンホールＨの周端部Ｅの上面に当接すると共に、内側端部である段差部１１ａの底面が受枠２に当接するもので、平面略四角形状の略平板状である。また、組付板１２は、基板１１から、縦リブ４を挟持するように縦に立設された略直角三角形状であり、その垂直辺部の上端部に形成した段部１２ｂが受枠２の外周面上端部に当接する。また、取付孔１２ａの外方に受枠２を移動させるために使用可能な挿通孔１２ｃを有する。
【００１７】
本実施形態に係るマンホール鉄蓋１によれば、アダプター１０を受枠２より外方に突出させて取付け、アダプター１０と受枠２との組付物の外径Ｄを、アダプター１０を取付ける前と比較して大きく変更することができる。そして、アダプター１０（基板１１）をマンホールＨの周縁部Ｅに当接させることにより、マンホールＨの径よりも小さいマンホール鉄蓋１であっても設置することができる。
【００１８】
また、アダプター１０がマンホールＨの周縁部Ｅに当接して当該マンホール鉄蓋１を支持した状態では、その反力が、ボルト２０を軸として、二枚の組付板１２の段部１２ｂを介して受枠２に作用するが、この受枠２は鋳鉄製であり強度に優れるので、当該反力を容易に受けることができる。従って、この状態を安定姿勢で保つことができる。
【００１９】
また、このマンホール鉄蓋１は、アダプター１０を縦リブ４に、取付孔１２ａと孔部４ａにボルト２０を挿通して固定しているので、構成が簡易であり、製造コストも廉価に抑えることができる。さらに、組付板１２には、受枠２を移動させるための挿通孔１２ｃを形成しているので、当該挿通孔１２ｃに例えば専用の治具を差し込むなどして、受枠２（およびマンホール鉄蓋１）を容易に移動させることができる。なお、専用の治具を、アダプター１０が取付けられていない縦リブ４の孔部４ａに差し込んで受枠２を容易に移動させることもできる。
【００２０】
次に、本実施形態に係るマンホール鉄蓋の取付方法について説明する。
このマンホール鉄蓋の取付方法は、マンホールＨの上端開口部に設けられ、マンホールＨより小径の受枠２と蓋体３を備えるマンホール鉄蓋１を、マンホールＨに取付ける方法である。
なお、受枠２の外周面には、当該受枠２を移動させるために治具を取付けるための孔部４ａを穿設した複数の縦リブ４が設けられている。
【００２１】
まず、当該マンホール鉄蓋１に設けられた、複数の縦リブ４のうち少なくとも二以上の縦リブ４、本実施形態では等間隔に配置された三つの縦リブ４のそれぞれに、取付孔１２ａを有するアダプター１０を、その外側端部が受枠２より外方に突出させた状態で取付け、縦リブ４の孔部４ａとアダプター１０の取付孔１２ａとを相対向させ、縦リブ４の孔部４ａとアダプター１０の取付孔１２ａにボルト２０を挿通してナット２１，座金２２で固定する（図４参照）。
こうすることによって、アダプター１０と受枠２との組付物の外径Ｄを、マンホールＨの径ｄより大きく設定する。
そして、マンホール鉄蓋１に取付けられたアダプター１０をマンホールＨの周縁部Ｅに当接させることによって、マンホールＨに取付ける。
【００２２】
この取付方法によれば、マンホールＨの径ｄより小さい外径の受枠２であっても簡易に取付けることができる。
【００２３】
なお、本実施形態ではアダプター１０を受枠２の周方向に等間隔を空けて３つ配置した例を示したが、アダプターの形状は、図５や図６に示すよう種々のものにすることができる。
すなわち、図５に示すように、アダプター３０のそれぞれの幅を図１に示すものと比較して広くしたり、図６に示すように、アダプター３５を、受枠２の径よりも大きいリング状のアダプターとすることもできる。アダプター３０，３５は、ネジ部材３１，３６によって受枠２に固定されている。
【図面の簡単な説明】
【００２４】
【図１】本発明の実施形態に係るマンホール鉄蓋を示すもので、（ａ）は平面図、（ｂ）はそのＡ−Ａ線断面図である。
【図２】図１に示すマンホール鉄蓋において、アダプターと受枠との組付物の外径と、マンホールの径を比較した平面図である。
【図３】図１に示すマンホール鉄蓋におけるアダプターを示すもので、（ａ）は正面図、（ｂ）は側面図、（ｃ）は平面図である。
【図４】図１に示すマンホール鉄蓋において、アダプターを受枠に取付ける状態を示す斜視図である。
【図５】本発明の実施形態に係る別のマンホール鉄蓋を示すもので、（ａ）は平面図、（ｂ）はそのＢ−Ｂ線断面図である。
【図６】本発明の実施形態に係るさらに別のマンホール鉄蓋を示すもので、（ａ）は平面図、（ｂ）はそのＣ−Ｃ線断面図である。
【図７】従来例に係るマンホール鉄蓋を示すもので、（ａ）は平面図、（ｂ）はそのＤ−Ｄ線断面図である。
【図８】他の従来例に係るマンホール鉄蓋を示すもので、（ａ）は平面図、（ｂ）はそのＥ−Ｅ線断面図である。
【符号の説明】
【００２５】
１        マンホール鉄蓋
２        受枠
３        蓋体
４        縦リブ
４ａ      孔部
５        ネジ棒
１０        アダプター
１１        基板
１１ａ      段差部
１２        組付板
１２ａ      取付孔
１２ｂ      段部
１２ｃ      挿通孔
２０        ボルト（締結部材）
２１        ナット（締結部材）
２２        座金（締結部材）
３０        アダプター
３１        ネジ部材
３５        アダプター
３６        ネジ部材
４０        マンホール鉄蓋
５０        マンホール鉄蓋
Ｄ        外径
ｄ        径
Ｅ        マンホール周縁部
Ｈ        マンホール
Ｒ        地中
【図１】
2008075277.tif 000003
【図２】
2008075277.tif 000004
【図３】
2008075277.tif 000005
【図４】
2008075277.tif 000006
【図５】
2008075277.tif 000007
【図６】
2008075277.tif 000008
【図７】
2008075277.tif 000009
【図８】
2008075277.tif 000010